(57)【要約】【課題】  安価で故障のないパワーリザーブ表示装置及びこれを備えた機械式時計を提供すること【解決手段】  機械式時計２のパワーリザーブ表示装置１は、香箱３０及び文字板１０を備え、香箱３０のうち香箱本体３１の内部にあるゼンマイ４０の状態が外部から視認可能なように香箱３０の文字板側の壁部３５に形成された香箱窓３７と、香箱本体３１の回転位置にかかわらず、香箱窓３７の一部に対面するように、前記文字板１０に形成された文字板窓１１とを有する。機械式時計２は、香箱３０と文字板１０との間に香箱３０を回転可能に支える地板２０を備え、該地板２０のうち文字板窓１１に対面する部位に形成された地板窓２５を更に有する。【選択図】  図５
2007121207.tif 000002
【特許請求の範囲】
【請求項１】
香箱及び文字板を備えた機械式時計のパワーリザーブ表示装置であって、
前記香箱のうち香箱本体の内部にあるゼンマイの状態が外部から視認可能なように該香箱本体の文字板側の壁部に形成された香箱窓と、
前記香箱本体の回転位置にかかわらず、前記香箱窓の一部に対面するように、前記文字板に形成された文字板窓と
を有するパワーリザーブ表示装置。
【請求項２】
前記文字板窓は、香箱真に巻付いたゼンマイ部分が視認され得る範囲に拡がっている請求項１に記載のパワーリザーブ機構。
【請求項３】
前記文字板窓は、ほどけた後のゼンマイ部分が視認され得る範囲に拡がっている請求項１又は２に記載のパワーリザーブ表示装置。
【請求項４】
前記機械式時計が、前記香箱と前記文字板との間に香箱を回転可能に支える地板を備え、
該地板が、前記文字板窓に対面する部位に、地板窓を有する請求項１から３までのいずれか一つの項に記載のパワーリザーブ表示装置。
【請求項５】
ゼンマイの残量を読取るための目盛が前記地板に形成されている請求項４に記載のパワーリザーブ表示装置。
【請求項６】
ゼンマイの残量を読取るための目盛が前記文字板に形成されている請求項１から５までのいずれか一つの項に記載のパワーリザーブ表示装置。
【請求項７】
前記文字板窓が、扇形である請求項１から６までのいずれか一つの項に記載のパワーリザーブ表示装置。
【請求項８】
前記文字板窓が、スリット状である請求項１から６までのいずれか一つの項に記載のパワーリザーブ表示装置。
【請求項９】
前記香箱窓が、複数の扇形領域からなり、周方向に隣接する前記扇形領域の間に半径方向に延びる窓枠部が形成されている請求項１から８までのいずれか一つの項に記載のパワーリザーブ表示装置。
【請求項１０】
前記香箱のうちゼンマイよりも奥に位置する香箱蓋の内面と前記ゼンマイのうち前記文字板に対面する側縁とが、相互に異なる色又は光反射特性を有する請求項１から９までのいずれか一つの項に記載のパワーリザーブ表示装置。
【請求項１１】
請求項１から１０までのいずれか一つの項に記載のパワーリザーブ表示装置を備えた機械式時計。
【請求項１２】
ゼンマイの自動巻機構を備えた請求項１１に記載の機械式時計。
【発明の詳細な説明】
【技術分野】
【０００１】
本発明は、機械式時計のパワーリザーブ表示装置に係る。
【背景技術】
【０００２】
香箱及び文字板を備えた機械式時計において、香箱の本体内において香箱真に巻回された状態で残っているゼンマイの量すなわちパワーリザーブ量（この明細書では、「ゼンマイの残量」、「ゼンマイ残量」、又は「ゼンマイの巻上げ残量」ともいう）を表示するパワーリザーブ表示装置は知られている。
【０００３】
従来のパワーリザーブ表示装置は、典型的には、文字板の一部に形成され扇形又は円形の目盛を備えた表示領域と、該領域においてゼンマイの巻上げ残量を表示する表示指針と、ゼンマイの残量に応じて表示指針を回転させる巻印車及び複数の中間車を含み、角穴車及び香箱車の夫々の回転に応じて中間車を介して巻印車を回転させるパワーリザーブ表示機構とを備える（例えば、特許文献１）。ここで、パワーリザーブ表示機構は、ゼンマイの巻上げに対応する角穴車の回転に応じてフル巻上表示位置の方に表示指針を揺動させ、ゼンマイのほどけに対応する香箱車の回転に従って残量ゼロの方に表示指針を揺動させるように巻印車を回転させるべく構成される。
【０００４】
この種の従来のパワーリザーブ表示装置では、パワーリザーブ表示機構は、その機能からして、遊星車機構のような複雑な構造を要する。一方、機械式腕時計のような小さな機械式時計では、時計ケース内のスペースが限られていることから、この複雑な構造体が極めて小さく形成される必要があり、相当のコストを要するので、信頼性のあるパワーリザーブ表示装置が組込まれ得る機械式時計は、ある程度以上高価なものに限られる。
【０００５】
なお、機械式腕時計の分野で、その精密機械としての構造を視認し得るようにすること自体にデザインを含めた商品価値が認められることから、文字板や裏蓋の一部を透明にしたスケルトンタイプの機械式時計も知られている。
【０００６】
しかしながら、このスケルトンタイプの機械式時計は、主としてデザインを含めた趣味観に訴えるもので、時計のムーブメントを見せることに止まり、見せて初めて時計に関する表示機能を果たすという視点は、本発明者が知る限り、全くなかった。
【０００７】
なお、カセット式の磁気テープ等の分野では、送り側のリールに巻回状態で残っている磁気テープの量を目盛付きの表示窓を介して視認可能にして、テープの残量を表示することは知られている（例えば、特許文献２等）。
【０００８】
但し、この特許文献２等に記載の技術は、カセット式磁気テープに録画等を行おうとする際に、録画に要する時間分だけテープに録画できるかどうかをテープカセットの装填前に知り得るようにテープカセットのカセット本体の壁部に窓を形成しておいたり、録画前にテープが巻戻されているいるかどうかを知り得るようにするものであって、本発明とは分野の全く異なる技術である。
【特許文献１】特開平１１−１８３６４２号公報
【特許文献２】特開平１１−４５５４４号公報
【発明の開示】
【発明が解決しようとする課題】
【０００９】
このような状況下で、本発明者は、ゼンマイの状態を直接視認可能にすれば、安価なパワーリザーブ表示装置を形成し得るということに気づき、本発明に至った。
【００１０】
本発明の目的は、安価で故障のないパワーリザーブ表示装置及びこれを備えた機械式時計を提供することにある。
【課題を解決するための手段】
【００１１】
本発明のパワーリザーブ表示装置は、前記目的を達成すべく、香箱及び文字板を備えた機械式時計のパワーリザーブ表示装置であって、前記香箱のうち香箱本体の内部にあるゼンマイの状態が外部から視認可能なように該香箱本体の文字板側の壁部に形成された香箱窓と、前記香箱本体の回転位置にかかわらず、前記香箱窓の一部に対面するように、前記文字板に形成された文字板窓とを有する。
【００１２】
本発明のパワーリザーブ表示装置では、「香箱のうち香箱本体の内部にあるゼンマイの状態が外部から視認可能なように該香箱本体の文字板側の壁部に形成された香箱窓」が設けられているので、該香箱窓を介して香箱の文字板側からゼンマイの巻上げ状態を視認し得る。また、本発明のパワーリザーブ表示装置では、「香箱本体の回転位置にかかわらず、香箱窓の一部に対面するように、文字板に形成された文字板窓」が設けられているので、香箱窓及び文字板窓を介して機械式時計の文字板の手前側からゼンマイの巻上げ状態を視認し得る。すなわち本発明のパワーリザーブ表示装置では、機械式時計をその使用状態のまま、通常の時刻表示を確認するのと同様にして、ゼンマイの巻上げ状態を視認し得る。本発明のパワーリザーブ表示装置では、ゼンマイの巻上げ状態を視認可能にするために、香箱と表示手段とを連結する複雑な機構を要せず、香箱及び文字板に窓（すなわち香箱窓及び文字板窓）を設ければよいので、安価なパワーリザーブ表示が可能になり、且つパワーリザーブ表示のために複雑な機構を要しないので、時計の肥大化が避けられ得、薄型化や小型化が可能になる。
【００１３】
また、本発明のパワーリザーブ表示装置では、ゼンマイの巻上げ残量（パワーリザーブ量）を表示するために可動部分を要しないことから、故障の虞れがない。勿論、所望ならば、デザインや見た目の付加価値を上げるために、可動手段を追加してもよいけれども、その場合であっても、表示のために本質的に可動部分を要しないことは同様である。
【００１４】
以上において、ゼンマイの状態すなわちゼンマイの巻上げ状態としては、香箱真のまわりに残っているゼンマイの量（すなわちゼンマイ残量）でも、ほどけた後香箱本体の周壁の内面に張付いているゼンマイの量でも、その両方でもよい。ゼンマイの量は、例えば１０時間分や１５時間分や５０時間分の量というような定量的な量であっても比較的多いとか比較的少ないというような定性的なものであってもよい。
【００１５】
より詳しくは、ゼンマイは、そのフル巻上状態（完全巻上状態）すなわち最大パワーリザーブ状態ではゼンマイの実質的に全ての部分が実際上隙間なく香箱真のまわりに巻きついた状態にあり、完全にほどけた状態すなわちパワーリザーブがゼロの状態ではゼンマイの実質的に全ての部分が香箱本体の周壁の内周面に隙間なく張付いた状態にある。また、フル巻上状態（完全巻上状態）と完全にほどけた状態との中間の状態すなわち中間のパワーリザーブ状態では、ゼンマイの内端及び該内端につながる一部の部分が香箱真に実際上隙間なく巻付き、ゼンマイの外端及び該外端につながる残りの部分が香箱本体の周壁の内周面に実際上隙間なく張付いた状態にあり、香箱真に巻付いたゼンマイ部分と香箱の内周面に張付いたゼンマイ部分との間では、香箱内のスペースに沿って中間部分が斜めに延びる。この中間部分は、典型的には、一巻き程度よりも短かい。従って、ゼンマイのうち斜めに延びた中間部分を実際上無視して、ゼンマイのうち香箱真に巻付いた部分の量（例えば半径方向の厚さ）を視認することにより、パワーリザーブ量（ゼンマイ残量）を直接的に視認し得る。勿論、ゼンマイのうち香箱本体の周壁の内周面に張付いた部分の量（例えば半径方向の厚さ）を視認してほどけたゼンマイ量を視認し、総量から逆算することによっても、パワーリザーブ量を実際上直接的に視認し得る。
【００１６】
このように窓を介して内部機構を直接見えるようにすることは、一見スケルトン式の時計と同様に見えるかもしれないけれども、従来のスケルトン式の時計は、あくまで、内部機構の構造や該機構が動いている様を見せることに限られるものであって、内部の状態を視認可能にすることにより時計の状態に関する情報をユーザに知らしめるものではない。従って、本発明のパワーリザーブ表示装置は発想からして従来のスケルトン式の時計とは別異のものである。
【００１７】
本発明のパワーリザーブ表示装置では、典型的には、前記文字板窓は、香箱真に巻付いたゼンマイ部分が視認され得る範囲に拡がっている。
【００１８】
この場合、文字板窓を介して、香箱真のまわりに巻付いたゼンマイ部分が視認され得るから、このゼンマイ部分の量を知ることにより、パワーリザーブ量を容易に確認し得る。
【００１９】
また、本発明のパワーリザーブ表示装置において、前記文字板窓は、ほどけた後のゼンマイ部分が視認され得る範囲に拡がっていてもよい。
【００２０】
この場合、文字板窓を介して、香箱本体の周壁の内周面に張付いたゼンマイ部分が視認され得るので、このゼンマイ部分の量を知ることにより、ほどけたゼンマイ量がわかるから、残りのゼンマイ量すなわちまだほどけていないゼンマイ量換言すればパワーリザーブ量を知り得る。
【００２１】
なお、ここで、文字板窓は、香箱真に巻付いたゼンマイ部分が視認され得る範囲及びほどけた後のゼンマイ部分が視認され得る範囲の両方にわたって拡がっていてもよい。その場合、文字板窓を介して、香箱真のまわりに巻付いたゼンマイ部分と香箱本体の周壁の内周面に張付いたゼンマイ部分との両方を同時に視認しうるから、一目見るだけでも、ゼンマイの残量の程度をより容易に確認し得る。
【００２２】
以上においては、目盛がない場合も含めて想定しているけれども、いずれかの窓枠（窓の側壁部）等に目盛がある場合には、ゼンマイの残量をより正確に読取り得る。
【００２３】
なお、本発明のパワーリザーブ装置では、典型的には、機械式時計が、香箱と文字板との間に香箱を回転可能に支える地板を備え、該地板が、文字板窓に対面する部位に、地板窓を有する。
【００２４】
この場合、香箱真に巻付いたゼンマイ部分及び香箱本体の周壁の内周面に張付いたゼンマイ部分のうちの少なくとも一方が、文字板窓及び香箱窓に加えてその間にある地板窓を介して視認され得る。
【００２５】
なお、地板窓に目盛などを付しておく場合には、地板窓の周方向の大きさを文字板窓の周方向の大きさよりも小さくしておけばよい。一方、ゼンマイの残量を表示する目盛が前記文字板に形成される場合には、地板窓は、文字板窓と同じ大きさ・形状であっても、文字板窓よりも広い範囲にわたって拡がっていてもよい。
【００２６】
以上において、文字板窓は、典型的には、扇形である。但し、香箱真に巻付いたゼンマイ部分及び香箱本体の周壁の内周面に張付いたゼンマイ部分のうちの少なくとも一方が、視認され得る限り、文字板窓の形状は扇形以外であっていてもよい。
【００２７】
また、例えば、パワーリザーブ表示のために使用する領域を最小限にしたいような場合には、文字板窓が、スリット状であってもよい。スリットは、典型的には複数本あり、典型的には夫々が香箱の半径方向に沿って延びる。但し、スリット状窓部の延在方向は、半径方向に対して斜め方向でもよい。この場合、ゼンマイのうち文字板に対面する側縁が視認され易いように、該側縁が、着色されていても、鏡面化されていてもよい。また、所望ならば、その逆に、香箱のうちゼンマイよりも奥に位置する香箱蓋の内面が反射面になっていて、ゼンマイ部分の側縁からの反射が最低限になることにより、ゼンマイ部分が視認され易くなっていてもよい。
【００２８】
なお、文字板窓の形状や大きさないし拡がり範囲にかかわらず、香箱のうちゼンマイよりも奥に位置する香箱蓋の内面と前記ゼンマイのうち文字板に対面する側縁とが、相互に異なる色又は光反射特性を有することにより、ゼンマイの残量の視認容易性を高めるようにしてもよい。
【００２９】
更に、所望ならば、視認用の文字板窓以外の部分から香箱内に光が入るように、視認用の前記文字板窓以外の文字板部分に窓が形成されていてもよい。その窓は、例えば、香箱真近傍や香箱本体の周壁の内周面近傍から離れた半径方向中間部分に外光を導入するものでもよい。更に、所望ならば、香箱内を照らすようにＬＥＤの如き光源等が設けられていてもよい。
【００３０】
本発明のパワーリザーブ装置では、香箱窓が、複数の扇形領域からなり、周方向に隣接する前記扇形領域の間に半径方向に延びる窓枠部が形成されていてもよい。但し、香箱の回転位置にかかわらず香箱窓が文字板窓に対面し得る限り、窓の形状や数は異なっていてもよい。
【００３１】
以上において、文字板窓や香箱窓は、典型的には、透明材料からなるけれども、所望ならば、文字板窓は、単なる孔（開口）でもよい。なお、香箱内には潤滑剤が収容されることから香箱窓は典型的には閉じられるけれども、場合によっては、香箱窓も孔（開口）でもよい。香箱内に潤滑剤が収容される場合、その潤滑剤は透明なものからなる。なお、地板窓は、典型的には、孔（開口）からなり、所望ならば、透明材料からなる。この明細書において、「透明」状態は、「半透明」状態や「着色」状態を含む。
【００３２】
地板以外の部品が香箱窓と文字板窓との間に介在するような構造の機械式時計の場合、当該介在部品が地板窓と同様な窓を備えることになる。
【００３３】
本発明の機械式時計は、以上のようなパワーリザーブ表示装置を備える。本発明の機械式時計は、典型的には、ゼンマイの自動巻機構を備え、典型的には、手巻き機能を併せ持つ。但し、手巻き機能はなくてもよい。なお、所望ならば、機械式時計が自動巻式ではなくて手巻き式であってもよい。なお、本発明の機械式時計は、典型的には、腕時計からなるけれども、所望ならば、いわゆる懐中時計のような他の種類の携帯式時計であってもよい。
【発明を実施するための最良の形態】
【００３４】
次に、本発明の好ましい一実施の形態を添付図面に示した好ましい一実施例に基づいて説明する。
【実施例１】
【００３５】
図１の（ａ）及び（ｂ）並びに図３には、本発明による好ましい一実施例のパワーリザーブ表示装置１を備えた本発明による好ましい一実施例の機械式腕時計２が示されている。腕時計２は、自動巻式で且つ手巻き可能なタイプの機械式時計であり、時計ケース３及び文字板１０等からなる外装内にムーブメント５を備える。図３に加えて図４から図６に示したように、ムーブメント５は、ケース３内に静置された地板２０に支持された香箱３０と、時刻表示機構５０と、自動巻機構７０とを有する。
【００３６】
地板２０は、他の受部材等と協働して、ムーブメント５を構成する各種時計部品を時計ケース３内に収容可能な状態で全体として一体化して支えるべく、凹部２１，２２等や軸受部２３，２４等に加えて、窓部２５等を備える。
【００３７】
香箱３０は、円筒状の香箱本体３１及び香箱蓋３２と、香箱真３３と、ゼンマイ４０とを有する。香箱真３３は香箱本体３１の回転中心軸線Ｃに沿って位置し、地板２０の軸受部２３により一端３３ａで回転自在に支持されている。渦巻きばねの形態のゼンマイ４０は、内側端部４０ａで香箱真３３の大径真部３３ｂに固定され、外側端部４０ｂでスリップアタッチメント４０ｃを介して香箱本体３１の円筒状周壁部３４の内周面にスリップ係合されている。従って、ゼンマイ４０の巻上げ及びほどけの進行に応じて、外周端部４０ｂが香箱本体３１の円筒状周壁部３４の内周面に沿って回転される。なお、香箱本体３１及び香箱蓋３２により形成された香箱室Ａ内には、透明な潤滑油が入っている。香箱真３３の他端３３ｃ側には角穴車６が固定され、角穴車６のＣ１方向回転に伴う香箱真３３の回転によりゼンマイ４０が巻き上げられる。
【００３８】
図３から図５に加えて図７の（ａ）及び（ｂ）に示したように、香箱３０の本体３１のうち地板２０に対面する側の壁部３５は、放射状支持枠部３６で仕切られた扇形の窓部３７を備える。窓部３７は、ガラスや樹脂の如き透明材料からなる。図示の例では、枠部３６が９０度間隔で四本あるけれども、窓部３７の材料が十分な機械的強度を有する場合には、支持枠部３６の本数がより少なかったり太さがより細くてもよく、場合によっては、支持枠部３６がなくて全体が環状の窓部になっていてもよい。勿論、所望ならば、支持枠部３６の本数がより多くてもよい。典型的には、香箱本体３１の室Ａ内に潤滑油が収容されることから、窓３７が透明材料体で閉じられるけれども、室Ａが開放され得る場合には、窓３７が単なる開口即ち孔であっていてもよい。
【００３９】
ほぼ扇形の窓部３７は、より詳しくは、香箱真３３の大径真部３３ｂの外周面部又はその近傍部分に位置する内周側円弧状部３７ａと、香箱本体３１の円筒状周壁部３４の内周面部又はその近傍部分に位置する外周側円弧状部３７ｂとを有する。
【００４０】
従って、ゼンマイ４０がフル巻上げ即ち完全に巻上げられた最大パワーリザーブ状態Ｐｆにある場合には、ゼンマイ４０の巻上げ可能な部分４１の全体が香箱真３３の大径真部３３ｂに実際上ピッチリと巻上げられた状態が、窓３７の内周側円弧状部３７ａ及びその近傍部分において窓３７から視認され得る（図５及び図１の（ｂ）参照、なお、図７の（ａ）の状態はこれに近い状態である）。この最大パワーリザーブ状態Ｐｆにある場合、香箱本体３１の円筒状周壁部３４の内周面部又はその近傍部分には、スリップアタッチメント４０ｃによりスリップ係合可能に保持された外周端部４０ｂ以外の部分は実質的に残っていないことが、外周側円弧状部３７ｂ及びその近傍部分において窓３７から視認され得る（図７の（ａ）参照）。勿論、最大パワーリザーブ状態Ｐｆにある際、窓３７のうち外周側円弧状部３７ｂのところには、ゼンマイ４０がなくなる（見えなくなる）ような位置に外周側円弧状部３７ｂが形成されていてもよい。
【００４１】
一方、ゼンマイ４０が完全にほどけた最低（ゼロ）パワーリザーブ状態Ｐｅにある場合には、ゼンマイ４０の巻上げ可能な部分４１の全体が香箱本体３１の円筒状周壁部３４の内周面部又はその近傍部分に実際上ピッチリと張付くように渦巻状に積層された状態が、窓３７の外周側円弧状部３７ｂ及びその近傍部分において窓３７から視認され得る（状態Ｐｅとしては図１の（ａ）参照、香箱窓３７内のゼンマイ４０が状態Ｐｅに近い状態としては図７の（ｂ）参照）。なお、最低パワーリザーブ状態Ｐｅにある場合、香箱真３３の大径真部３３ｂ及びその近傍部分には、ゼンマイ４０の内周端部４０ａ以外の部分は実質的に残っていないことが、扇形窓部のうちの内周側円弧状部及びその近傍部分において窓から視認され得る。勿論、最低パワーリザーブ状態Ｐｅにある際、扇形窓部のうち内周側円弧状部のところには、ゼンマイ４０がなくなる（見えなくなる）ような位置に内周側円弧状部が形成されていてもよい。
【００４２】
すなわち、ゼンマイ４０のごく一部がほどけた状態にある場合、図７の（ａ）からわかるように、ゼンマイ４０の大半の部分４２ａが香箱真３３に巻回されたままで、ごく一部の部分４２ｂが香箱本体３１の円筒状周壁部３４の内周面側に張付いていることが、窓３７を介して視認され得る。一方、ゼンマイ４０の大半の部分がほどけた状態にある場合、図７の（ｂ）からわかるように、ゼンマイ４０の大半の部分４３ａが香箱本体３１の円筒状周壁部３４の内周面側に張付き、ごく一部の部分４３ｂが香箱真３３に巻回された状態にあることが、窓３７を介して視認され得る。
【００４３】
ゼンマイ４０のほどけの程度ないし巻上げの程度にかかわらず、ゼンマイ４０のうち香箱真３３への巻回部分４４と香箱本体３１の周壁部３４への張付部分（ほどけ部分）４５との間にある移行部分４６の長さや形状は、外端スリップ係合部分４０ｂと周壁部３４との間の摩擦力に起因する範囲のバラツキを除き実質的に一定に保たれる。
【００４４】
図５からわかるように、地板２０のうち香箱３０の壁部３５の窓３７に対面する領域には、地板窓としての窓部２５が形成されている。窓部２５は、例えば、図４及び図７の（ａ）において想像線２５で示したように、典型的には、香箱３０の壁部３５の窓３７よりも大きく、一つの窓３７が丁度窓部２５に重なるような回転位置を香箱３０が採ると、香箱３０の窓３７の全体が地板２０の窓部２５の範囲内に入る。なお、所望ならば、地板２０の窓部２５が香箱３０の窓部３７と同じ大きさ・形状であっても、香箱３０の窓部３７よりも小さくてもよい。地板２０の窓部２５は典型的には、開口即ち孔からなる。但し、所望ならば、該開口に透明材料体が嵌込まれていてもよい。
【００４５】
図５からわかるように、地板２０うち香箱３０の反対側には、文字板１０が配置され、文字板１０も文字板窓としての窓部１１を備える。例えば図１の（ａ）及び（ｂ）や図２の（ａ）及び（ｂ）からわかるように、文字板１０の窓１１は、二つの扇形の窓部１２ａ，１２ｂ（相互に区別しないとき又は総称するときには符号１２で表す）と、該窓部１２ａ，１２ｂの間において扇の径方向に延びる目盛１３付き枠部１４とを有する。窓部１２は単なる開口（孔）でも、該孔に透明材料体が嵌込まれていてもよい。文字板１０の窓１１は、更に、各窓部１２ａ，１２ｂの外側縁部１５ａ，１５ｂ（相互に区別しないとき又は総称するときには符号１５で表す）に、突起状インジケータ１６ａ，１６ｂ（相互に区別しないとき又は総称するときには符号１６で表す）を備える（例えば、図２の（ａ）参照）。インジケータ１６は単なる線画であっても凹凸のある立体形状であってもよい。
【００４６】
インジケータ１６は、この例では、ゼンマイ４０が完全にほどけてパワーリザーブ量がゼロすなわち残量なしの状態Ｐｅになり、ゼンマイ４０の実際上全ての部分４１が香箱本体３１の円筒状周壁部３４の内周面部又はその近傍部分に渦巻状にピッチリと張付いた際に、ゼンマイ４０の張付き部４１の内周縁部４１ａの位置を指すような位置に形成される。（例えば、図２の（ｂ）参照）これにより、パワーリザーブ量がゼロになったこと又はゼロに近付いたことが、容易に視認され得る。
【００４７】
枠部１４の目盛１３は、この例では、ゼンマイ４０が完全に巻上げられパワーリザーブ量がフルすなわち最大残量の状態Ｐｆになり、ゼンマイ４０の実際上全ての部分４１が香箱真３３にに渦巻状にピッチリと巻付けられた際に、ゼンマイ４０の巻付き部４１の外周縁部４１ｂの位置を指すような位置に、最大巻上げ印１３ｆを含む。これにより、パワーリザーブ量が最大になったこと又は最大に近付いたことが、容易に視認され得る。
【００４８】
図２の（ａ）又は（ｂ）において、文字板窓１１は、周方向に関しては、中央の目盛付き枠部１４を含めて窓部１２ａの外側縁１１ａから窓部１２ｂの外側縁１１ｂまでの範囲を含み、半径方向に関しては、窓部１２ａ，１２ｂの内周縁１１ｃから外周縁１１ｄまでの範囲を含む。このような文字板窓１１の大きさは、典型的には、地板２０の窓部２５の夫々の向きの大きさよりも小さく且つ窓部１１の全域が地板２０の窓部２５の範囲内である。また、上記範囲により規定される窓部１１は、香箱３０の壁部３５の窓３７と同じかそれよりも大きい。従って、一つの窓３７が丁度窓１１に重なるような回転位置を香箱３０が採ると、香箱３０の窓３７の全体が文字板１０の窓１１の範囲内に入る。また、香箱３０の壁部３５の二つの隣接する窓３７，３７間の支持枠部３６が文字板１０の窓１１内に位置する場合でも、典型的には、隣接する窓３７，３７のうちの少なくとも一方の半分以上の部分が文字板１０の窓１１の範囲内に入る。従って、香箱３０の回転位置にかかわらず、香箱３０の窓３７及び地板２０の窓２５を介して、ゼンマイ４０の残量が確実に視認され得る。
【００４９】
なお、地板２０の窓部２５が少なくとも部分的に文字板１０の窓１１よりも小さい場合には、目盛１３及びインジケータ１６のうちの一方又は両方が、文字板１０の窓１１の側縁又は中央部に形成される代わりに地板２０の窓部２５の側縁又は中央部に形成されてもよい。また、インジケータ１６ａ，１６ｂのうちの一方が、文字板１０の窓１１の側縁に形成される代わりに、地板２０の窓部２５の側縁に形成されてもよい。
【００５０】
図４及び図５に示したように、時刻表示機構５０は、時車５１、分車５２及び秒車５３を含む時計輪列６０を有し、該時計輪列６０が調速機構７及び脱進機構８によって調速された状態で香箱３０のゼンマイ４０の回転駆動力により回転されることにより、所定の速さで時車５１、分車５２及び秒車５３が回転される。
【００５１】
この例では、香箱３０のうち香箱車として働く香箱本体３１の外周に形成された香箱歯車３１ａにより分車５２のかな部５２ａが回転され、文字板１０を貫通して突出した二番真５２ｂの先端５２ｃに取付けられた分針５５が回転される。一方、分車５２の回転に応じて、該分車５２のかな部５２ａに日の裏車（図示せず）を介して結合された筒歯車５１ａが回転され、文字板１０を貫通して突出した筒車真５１ｂの先端５１ｃに取付けられた時針５４が回転される。また、分車５２の回転に応じて、分車５２の本体部にスリップ係合された二番歯車５２ｄに三番車（図示せず）を介してかな部５３ａで結合された秒車５３が回転され、二番真５２ｂ内で文字板１０を貫通して突出した四番真５３ｂの先端５３ｃに取付けられた秒針５６が回転される。ここで、秒車５３の四番歯車５３ｄの回転が、調速機構７（図４）及び脱進機構８（図４）によって調速されるので、これに伴って、秒車５３に噛合した分車５２及び時車５１の回転も調速される。
【００５２】
自動巻機構７０は、図３及び図４に加えて図６及び図５からわかるように、中心軸線ＥのまわりでＥ１，Ｅ２方向に回動される回転重錘７１と、回転重錘７１のＥ１，Ｅ２方向の往復回動をＣ１方向の一方向回転力に変換して角穴車６に伝達する変換・伝達機構７２とを有する。
【００５３】
回転重錘７１は、軸受７３により、中心軸線ＥのまわりでＥ１，Ｅ２方向に回転自在に支持されている。軸受７３は、ボールベアリング軸７３ａと一体的な内輪７３ｂ、多数のボール７３ｃ、及び外輪７３ｄを含み、回転重錘７１は、内縁部７１ａで外輪７３ｄに嵌着されている。７３ｅはリテーナである。
【００５４】
変換・伝達機構７２は、外輪歯車部７４と、一番伝え車ないし一番巻上げ車７５と、マジックレバーないしつめレバ−７６と、二番伝え車ないし二番巻上げ車７８とを有する。外輪歯車部７４は、軸受７３の外輪７３ｄの外周に一体的に形成され、回転重錘７１のＥ１，Ｅ２方向回動に応じて、該回転重錘７１と一体的に回動される。一番伝え車７５は、該外輪歯車部７４に噛合され中心軸線Ｆのまわりで回転自在な一番伝え歯車部７５ａを備える。一番伝え車７５は、回転重錘７１のＥ１，Ｅ２方向の回動に応じて、外輪歯車部７４を介して、中心軸線ＦのまわりでＦ１，Ｆ２方向に回動される。つめレバ−７６は、一番伝え車７５の回転中心軸７５ｂに嵌着された基端円板状部７６ａと、該基端円板状部７６ａから延びた一組の非対称つめ付き腕部７７ａ，７７ｂを備え、一番伝え車７５と一体的に、中心軸線ＦのまわりでＦ１，Ｆ２方向に回動される。基端円板状部７６ａは回転中心軸７５ｂに対して偏心していても偏心していなくてもよい。二番伝え車７８は、中心軸線Ｇのまわりで回転可能で、つめレバ−７６のつめ付き腕部７７ａ，７７ｂの先端部と係合されるラチェット車部７８ａ及び該ラチェット車部７８ａと一体的な二番伝えかな部７８ｂを備え、つめレバ−７６のＦ１，Ｆ２方向の回動に応じて、Ｇ１方向に回転される。
【００５５】
従って、変換・伝達機構７２は、中心軸線Ｅのまわりにおける回転重錘７１のＥ１，Ｅ２方向回動に応じて、二番伝え車７８のかな部７８ｂをＧ１方向に回動させ、該二番伝えかな部７８ｂに噛合した角穴車６をＣ１方向に回転させることにより、該角穴車６と一体的な香箱真３３をＣ１方向に回転させて、ゼンマイ４０を巻上げる。
【００５６】
自動巻機構７０は、機械式腕時計２の揺動や姿勢変化や加速度運動等によりゼンマイ４０を巻上げ得るようになっている限り、その構造は上述のものとは異なっていてもよい。
【００５７】
なお、機械式腕時計２は、手巻き可能で、この例では、例えば、図４に部分的に示したように、巻真９の回転に伴うつづみ車９ａの回転がきち車を介して丸穴車９ｂに伝達され、該丸穴車９ｂの回転が揺動丸穴車９ｃ及び二番伝え車９ｄを介して角穴車６に伝達されることにより、ゼンマイ４０の手動巻上げが可能である。なお、この例の場合、回転重錘７１の揺動に伴う自動巻上げの際には、揺動丸穴車９ｂと二番伝え車９ｄとの噛合が外れることにより、巻真９等による干渉を防ぐ。但し、自動巻上げ機構７０による巻上げ動作の際に巻真９等の干渉をさけるための機構は、他のどのようなものであってもよい。また、この機械式腕時計２が、自動巻専用で手動巻上げのできないものであってもよい。
【００５８】
以上の如く構成された機械式腕時計２では、前述の通り、文字板窓１１と該文字板窓１１の背後にあり該文字板窓１１よりも大きい地板窓２５と該地板窓２５の背後にある香箱３０の香箱窓３７とが形成されているので、図１の（ａ）及び（ｂ）や図２の（ａ）及び（ｂ）からわかるように、ユーザが該機械式時計２の文字板１０の文字板窓１１の部分を見るだけで、ゼンマイ４０の巻上げ状態すなわちパワーリザーブの程度、換言すれば、香箱真３３に巻かれた状態にあるゼンマイ部分４４の量及びほどけて香箱本体３１の周壁３４に張付いたゼンマイ部分４５の量が、文字板１０の文字板窓１１から地板窓２５及び香箱窓３７を介して、直ちに視認され得る。
【００５９】
従って、就寝前のように時計を腕から外して棚の上などに載置する際に、例えばパワーリザーブ量（ゼンマイ残量）がほとんどなくなっているときには、ユーザはゼンマイ４０のうち香箱真３３に巻かれた状態にあるゼンマイ部分４４がほとんどなく大半のゼンマイ部分がほどけて香箱本体３１の周壁３４に張付いた状態にあること（例えば、図１の（ａ）や図２の（ａ）に近い状態にあること）を、一目で知り得る。そのような場合、ユーザは、腕時計２を振って自動巻機構７０によってゼンマイ４０を巻上げたり、巻真９を指でつまんで回すことによりゼンマイ４０を巻上げたりすることにより、ゼンマイ残量を増やせばよい。パワーリザーブ量の増加は、ユーザが香箱真３３に巻かれた状態にあるゼンマイ部分４４の量又は割合の増加を文字板窓１１から直接見ることにより直ちに確認し得る。
【００６０】
いずれにしても、例えば、機械式時計２が自動巻機構７０を備えている場合には、通常、定期的な手巻きを行わないことから、往々にしてゼンマイ４０がほどけてしまう虞れが間々あるけれども、この機械式時計２では、一目でわかるパワーリザーブ表示装置１が設けられているので、そのような不具合が生じる虞れが少ない。
【００６１】
また、この機械式時計２のパワーリザーブ表示装置１は、複数の窓１１，２５，３７からなるので、表示のために運動部分を一切要しない。従って、このパワーリザーブ表示装置１が正常に機能しない虞れは実際上なく、信頼性が高いだけでなく、そのコストも最低限に抑えられ得る。更に、パワーリザーブ表示のために時計ケース３内の空間を実際上一切占有しないので、パワーリザーブ表示が可能であるにもかかわらず、他の時計部品の配設スペースを奪うこともないから、小型化や薄型化を妨げる虞れが少ない。
【００６２】
なお、この機械式時計２のパワーリザーブ表示装置１では、更に、窓１１にインジケータ１６や目盛１３が設けられているので、パワーリザーブ量を大まかには定量的に知り得る。なお、パワーリザーブ量は、大半の場合、残りがどの程度であるかを知れば足り、詳細な数値を知るメリットは殆どないことから、この表示の仕方はそのニーズにも適合するものである。ここで、香箱本体３１の回転角が時間に比例することから、目盛の線形性（等間隔）からのズレは比較的小さくなり得る。
【００６３】
例えば、図１の（ａ）や図２の（ａ）をみれば、ゼンマイ４０が完全にほどけていて、パワーリザーブ量が実際上ゼロであることが一目瞭然であり、また、図１の（ｂ）や図２の（ｂ）をみれば、ゼンマイ４０がフルに巻上げられていて、パワーリザーブ量が最大であることが一目瞭然である。従って、このパワーリザーブ表示装置１によるパワーリザーブ表示は、そのまま、パターンによる表示になっており、直感的に極めてわかり易い。また、中間的な状態におけるゼンマイ残量の多少の差異よりもゼンマイ残量が最大の状態Ｐｆとゼロの状態Ｐｅとがより容易且つ確実にわかることから、実際のニーズにも合う。即ち、目盛に沿って指針がある場合、完全なゼロにどの程度近いか又は完全にフルにどの程度近いかは、容易には視認し難いのに対して、このパワーリザーブ表示装置１では、状態Ｐｆ，Ｐｅやその近傍の状態にあることは、一目瞭然であることから、使い勝手が良い。
【００６４】
なお、文字板１０の文字板窓は、香箱真３３に巻付きパワーリザーブ量に対応する部分４４及び香箱本体３１の周壁３４の内周面に張付き既にほどけたゼンマイ部分４５の両方が見えるような大きさを有する代わりに、両部分４４，４５のうちのいずれか一方のみが見える大きさを有していてもよい。
【００６５】
図８の（ａ）及び（ｂ）並びに図９の（ａ）及び（ｂ）に示した機械式腕時計１０２は、ゼンマイ４０のうち香箱真３３に巻付いて残っている部分４４を視認可能な大きさの文字板窓１１１を有するパワーリザーブ表示装置１０１を備える。ここで、地板窓２５及び香箱窓３７は、例えば、図１の（ａ）及び（ｂ）から図７の（ａ）及び（ｂ）において示した機械式腕時計２のパワーリザーブ表示装置１と同じもの、即ち同じ大きさ及び形状でからなる。但し、このパワーリザーブ表示装置１０１では、文字板窓１１１がパワーリザーブ装置１の文字板窓１１よりも小さいので、地板窓及び香箱窓は、文字板窓１１１の小ささに応じて、該文字板窓１１１によるゼンマイ４０の視認を妨げない範囲で、パワーリザーブ表示装置１の地板窓２５及び香箱窓３７より小さくてもよい。
【００６６】
図８の（ａ）及び（ｂ）並びに図９の（ａ）及び（ｂ）に示した機械式腕時計１０２において、図１の（ａ）及び（ｂ）から図７の（ａ）及び（ｂ）に示した機械式腕時計２とは異なる箇所のある要素や部位等には、対応する符号の１００の位に「１」を付して示してある。
【００６７】
パワーリザーブ量がゼロの状態Ｐｅにある場合、図９の（ａ）に示したように、文字板窓１１１からみえる範囲内には、ゼンマイ４０はない。この状態Ｐｅでは、図８の（ａ）からわかるように、文字板１１０の文字板窓１１１にはゼンマイ４０が見えないことが容易且つ確実に視認され得る。一方、フル巻上げの状態すなわちパワーリザーブ量が最大の状態Ｐｆにある場合、図９の（ｂ）に示したように、文字板窓１１１からみえる範囲がゼンマイ４０で満たされている。この状態Ｐｆでは、図８の（ｂ）からわかるように、文字板１１０の文字板窓１１１内が実際上全てゼンマイ４０で満たされていることが容易且つ確実に視認され得る。
【００６８】
このように小さい文字板窓１１１を備えたパワーリザーブ表示装置１０１を有する機械式腕時計１０２では、ゼンマイ４０が、フル巻上げ状態Ｐｆであるか実際上ほどけてしまった状態Ｐｅであるかを、単純に確認し易い。
【００６９】
なお、文字板窓がゼンマイ４０の状態を視認させ得るように、香箱３０の手前において香箱３０の半径方向の所望程度の範囲にわたって拡がっている限り、文字板窓の形状は、扇形の代わりに、他のどのような形状でもよい。
【００７０】
例えば、文字板窓２１１は、図１０の（ａ）及び（ｂ）に示したように、香箱３０の半径方向に平行に延びたスリット状であってもよい。図１０の（ａ）は、機械式腕時計２０２において、パワーリザーブ量がゼロの状態Ｐｅにある場合のパワーリザーブ表示装置２０１の表示状態を示し、図１０の（ｂ）は、機械式腕時計２０２において、パワーリザーブ量が最大の状態Ｐｆにある場合のパワーリザーブ表示装置２０１の表示状態を示す。
【００７１】
図１０の（ａ）及び（ｂ）に示した機械式腕時計２０２において、図１の（ａ）及び（ｂ）から図７の（ａ）及び（ｂ）に示した機械式腕時計２とは異なる箇所のある要素や部位等には、対応する符号の１００の位に「２」を付して示してある。
【００７２】
なお、文字板窓２１１がこのようにスリット状である場合、文字板窓２１１の範囲の全体が香箱３０の枠３６によって塞がれるのを避け得るように、香箱３０の窓３７の間の枠３６がスリット状文字板窓２１１よりも小さい幅を有するように形成されるか、窓３７が枠３６のない環状に形成される。但し、所望ならば、スリット状文字板窓２１１を枠３６，３６間の周方向間隔ないし角度とは異なる相対角度の位置に複数個配置して、少なくとも一つのスリット状文字板窓２１１は、必ず、枠３６で塞がれていないようにしておいてもよい。
【００７３】
なお、スリット状の文字板窓２１１は、香箱３０の周方向に対して交差する方向に延びている限り、所望ならば、香箱３０の周方向に対して直角な方向（香箱３０の半径方向）の代わりに、香箱３０の周方向に対して斜め方向に延びていてもよい。
【００７４】
以上において、ゼンマイ４０のうち文字板側の側縁４８（図５参照）すなわち文字板窓１１，１１１又は２１１から見える側の縁部４８が視認され易いように、着色されたり、反射性の高い状態に研磨又はメッキされていてもよい。また、所望ならば、香箱３０のうち香箱蓋３２の内面３８（図５参照）を視認し易いように着色したり反射面にしてもよく、更に所望ならば、ゼンマイ４０の側縁４８を目立ち易くすべく、香箱蓋３２の内面３８を反射率が低く且つ黒く着色ないし表面加工しておいてもよい。
【図面の簡単な説明】
【００７５】
【図１】本発明による好ましい一実施例のパワーリザーブ表示装置を備えた本発明による好ましい一実施例の機械式腕時計を示したもので、（ａ）はゼンマイがほどけた状態にある機械式時計を文字板側から見た正面説明図、（ｂ）はゼンマイがフルに巻上げられた状態にある機械式時計についての（ａ）と同様な正面説明図。
【図２】図１の機械式時計のうちパワーリザーブ表示装置を含む一部の部分を拡大して示したもので、（ａ）は図１の（ａ）と同様な状態にある機械式時計の一部の正面拡大説明図、（ｂ）は図１の（ｂ）と同様な状態にある機械式時計についての（ａ）と同様な正面拡大説明図。
【図３】図１の（ａ）及び（ｂ）に示した機械式時計について、文字板の背後にある香箱及び自動巻機構の配置及び構成を重ねて示した正面説明図。
【図４】図１の（ａ）及び（ｂ）に示した機械式時計のムーブメントについて、該ムーブメントを構成する各種時計部品の配置及び構成を重ねて示した正面説明図。
【図５】図４のムーブメントのうち香箱から時刻表示針に至る回転伝達経路に沿ったＶ−Ｖ線断面説明図。
【図６】図４のムーブメントについて、図３の自動巻機構のゼンマイ巻上げ力伝達経路に沿って展開して示した断面説明図。
【図７】図１の機械式時計の香箱を示したもので、（ａ）はゼンマイがほとんどフルに巻上げられた状態にある香箱の正面説明図、（ｂ）はゼンマイがほとんどほどけた状態にある香箱についての（ａ）と同様な正面説明図。
【図８】本発明による一変形例のパワーリザーブ表示装置を備えた本発明による一変形例の機械式腕時計を示したもので、（ａ）は図１の（ａ）と同様な正面説明図、（ｂ）は図１の（ｂ）と同様な正面説明図。
【図９】図８の機械式時計のうちパワーリザーブ表示装置を含む一部の部分を拡大して示したもので、（ａ）は図２の（ａ）と同様な正面説明図、（ｂ）は図２の（ｂ）と同様な正面説明図。
【図１０】本発明による別の一変形例のパワーリザーブ表示装置を備えた本発明による一変形例の機械式腕時計の一部を拡大して示したもので、（ａ）は図２の（ａ）と同様な正面説明図、（ｂ）は図２の（ｂ）と同様な正面説明図。
【符号の説明】
【００７６】
１，１０１，２０１  パワーリザーブ表示装置
２，１０２，２０２  機械式腕時計
３  時計ケース
５  ムーブメント
６  角穴車
７  調速機構
８  脱進機構
９  巻真
１０，１１０，２１０  文字板
１１  文字板窓
１２，１２ａ，１２ｂ  窓部
１３  目盛
１４  枠部
１５
１６，１６ａ，１６ｂ  インジケータ
２０  地板
２５  地板窓
３０  香箱
３１  香箱本体
３２  香箱蓋
３３  香箱真
３４  円筒状周壁部
３５  壁部
３６  放射状支持枠部
３７  香箱窓
４０  ゼンマイ
４０ａ  内周端部
４０ｂ  外周端部（外端スリップ係合部分）
４０ｃ  スリップアタッチメント
４４  ゼンマイのうち香箱真に巻かれている部分
４５  ゼンマイのうちほどけて香箱本体の周壁部に張付いている部分
５０  時刻表示機構
５１  時車
５２  分車
５３  秒車
５４  時針
５５  分針
５６  秒針
６０  時計輪列
７０  自動巻機構
７１  回転重錘
７２  変換・伝達機構
７３  軸受
７４  外輪歯車部
７５  一番伝え車（一番巻上げ車）
７６  つめレバ−
７８  二番伝え車（二番巻上げ車）
Ａ  室
Ｃ，Ｅ，Ｆ，Ｇ  回転中心軸線
Ｃ１，Ｃ２，Ｅ１，Ｅ２，Ｆ１，Ｆ２，Ｇ１  回転方向
Ｐｅ  ゼンマイが完全にほどけた状態（パワーリザーブ量がゼロの状態）
Ｐｆ  ゼンマイがフルに巻かれた状態（パワーリザーブ量が最大の状態）
【図１】
2007121207.tif 000003
【図２】
2007121207.tif 000004
【図３】
2007121207.tif 000005
【図４】
2007121207.tif 000006
【図５】
2007121207.tif 000007
【図６】
2007121207.tif 000008
【図７】
2007121207.tif 000009
【図８】
2007121207.tif 000010
【図９】
2007121207.tif 000011
【図１０】
2007121207.tif 000012